(57)【要約】【課題】車両用シートの連結装置を、連結対象となる部材に対して支持強度と連結強度とを高めた状態に連結できるようにする。【解決手段】車両用シートの連結装置は、連結対象となるシートバックとシートクッションとを互いに相対回転可能に連結するリクライニング装置４として構成され、シートバックに一体的に連結されるラチェット１０と、シートクッション（クッションフレーム３ｆ）に一体的に連結されるガイド２０とを有し、これらが互いに相対回転可能に板合わせ方向に組まれて構成されている。保持部材７０は、ラチェット１０とガイド２０の外周部に跨って組み付けられ、これらを板合わせ方向に組み付けた状態に保持し、その外周部には複数の開口部７４・・が形成されている。ガイド２０の外周部には開口部７４，７４から大きく突出するひれ部２２ｃ，２２ｃが形成され、ひれ部２２ｃ，２２ｃとクッションフレーム３ｆとが一体的に連結されている。【選択図】図１
2010051520.tif 000002
【特許請求の範囲】
【請求項１】
連結対象となる二つの対象部材を互いに相対回転可能に連結する車両用シートの連結装置であって、
前記二つの対象部材の一方側或いは他方側にそれぞれ一体的に連結されて互いに相対回転可能に板合わせ方向に組み付けられる二枚の連結部材と、
当該二枚の連結部材の外周部に跨って組み付けられてこれら連結部材を板合わせ方向に組み付けた状態に保持する保持部材と、を有し、
該保持部材の外周部には回転半径方向に開口した開口部が形成されており、前記二枚の連結部材のうち少なくとも一方は前記保持部材の開口部から突出する突出部を有し、該突出部はその円周方向の幅寸法が該突出部の形成された連結部材の外周部に組み付けられる前記保持部材の保持片の円周方向の幅寸法よりも広く形成されてその連結対象となる側の対象部材と一体的に連結されていることを特徴とする車両用シートの連結装置。
【請求項２】
請求項１に記載の車両用シートの連結装置であって、
前記突出部は前記少なくとも一方の連結部材の外周部に円周方向に複数並んで突出形成されており、当該各突出部は同連結部材の外周部における円周方向の半分の角度領域内に寄せ集められた配置とされてその連結対象となる側の対象部材と連結されていることを特徴とする車両用シートの連結装置。
【請求項３】
請求項２に記載の車両用シートの連結装置であって、
前記保持部材の保持片は円周方向に複数並んで配設されており、該各保持片は前記複数の突出部が寄せ集められた円周方向の半分の角度領域に配される数よりも残り半分の角度領域に配される数の方が多くなっていることを特徴とする車両用シートの連結装置。
【請求項４】
請求項２又は請求項３に記載の車両用シートの連結装置であって、
前記複数の突出部は一方側の連結部材の外周部に突出して形成されており、同連結部材の外周部において前記複数の突出部が寄せ集められて配置された側とは反対側の円周方向の半分の角度領域には前記保持部材の開口部から半径方向の外方側に突出するストッパが形成されており、該ストッパは他方側の連結部材と一体的となって回転するストッパ片との当接により該他方側の連結部材の回転移動を係止させる構成となっていることを特徴とする車両用シートの連結装置。
【発明の詳細な説明】
【技術分野】
【０００１】
本発明は、車両用シートの連結装置に関する。詳しくは、二つの対象部材を互いに相対回転可能に連結する車両用シートの連結装置に関する。
【背景技術】
【０００２】
従来、車両用シートにおいて、シートバックがリクライニング装置を介してシートクッションと連結されており、その背凭れ角度の調整操作が行えるようになっているものが知られている。ここで、下記特許文献１には、上記したリクライニング装置の構成が開示されている。この開示では、リクライニング装置は、シートバックの骨格フレームとシートクッションの骨格フレームとにそれぞれ一体的に連結される二枚の円盤形状の連結部材が、互いに相対回転可能となるように板厚方向に組み付けられて構成されている。
【０００３】
そして、上記した二枚の連結部材の外周部には、これらに軸方向に跨って保持部材が組み付けられており、同保持部材によって両連結部材が軸方向に外れ止めされている。ここで、上記した二枚の連結部材のうち一方は、その円周方向の略半分の領域が半径方向の外方側に大きく張り出して形成されており、この張り出したひれ部がシートクッションの骨格フレームと板合わせされて接合されている。
【０００４】
そして、上記したひれ部が形成された連結部材には、保持部材を軸方向に挿通するための複数の円弧状に湾曲した長孔が円周方向に等間隔に並んで配置形成されている。そして、上記した連結部材は、その長孔内に保持部材を形成する複数の保持片がそれぞれ挿通されて折り曲げられることにより、同保持部材によって軸方向に外れ止めされた状態となって保持されている。
【特許文献１】特許第３６０６９０１号公報
【発明の開示】
【発明が解決しようとする課題】
【０００５】
しかし、上記開示の従来技術では、ひれ板部が形成された側の連結部材は、上記した複数の長孔が円周方向に狭い間隔で並べられて形成されているために、各長孔と長孔との間の余肉部分が小さく、支持強度が低い構成となっている。
【０００６】
本発明は、上記した問題を解決するものとして創案されたものであって、本発明が解決しようとする課題は、車両用シートの連結装置を、連結対象となる部材に対して支持強度と連結強度とを高めた状態に連結できるようにすることにある。
【課題を解決するための手段】
【０００７】
上記課題を解決するために、本発明の車両用シートの連結装置は次の手段をとる。
先ず、第１の発明は、連結対象となる二つの対象部材を互いに相対回転可能に連結する車両用シートの連結装置であって、二枚の連結部材と保持部材とを有する。二枚の連結部材は、二つの対象部材の一方側或いは他方側にそれぞれ一体的に連結されており、互いに相対回転可能に板合わせ方向に組み付けられる。保持部材は、二枚の連結部材の外周部に跨って組み付けられて、これら連結部材を板合わせ方向に組み付けた状態に保持する。保持部材の外周部には、回転半径方向に開口した開口部が形成されている。二枚の連結部材のうち少なくとも一方は、保持部材の開口部から突出する突出部を有する。突出部は、その円周方向の幅寸法が、突出部の形成された連結部材の外周部に組み付けられる保持部材の保持片の円周方向の幅寸法よりも広く形成されて、その連結対象となる側の対象部材と一体的に連結されている。
【０００８】
この第１の発明によれば、二枚の連結部材のうち少なくとも一方は、保持部材の開口部から回転半径方向に突出した突出部がその連結対象となる対象部材に当てられて一体的に連結される。これにより、同突出部の形成された連結部材は、その半径方向の外方側に遠く離れた位置で対象部材と連結されるため、対象部材に対して高い連結強度でもって連結される。また、上記した突出部は、その円周方向の幅寸法が広く形成されているため、それ自体の支持強度が高められている。したがって、上記した連結部材を対象部材に対して支持強度と連結強度とを高めた状態に連結することができる。
【０００９】
次に、第２の発明は、上述した第１の発明において、突出部は、少なくとも一方の連結部材の外周部に円周方向に複数並んで突出形成されている。各突出部は、同連結部材の外周部における円周方向の半分の角度領域内に寄せ集められた配置とされて、その連結対象となる側の対象部材と連結されている。
【００１０】
この第２の発明によれば、各突出部が連結部材の外周部における円周方向の半分の角度領域内に寄せ集められて配置構成されていることにより、この連結部材と連結される対象部材を、各突出部が寄せ集められた半分の角度領域まで形状が張り出す小さな形状に形成することができる。また、残り半分の角度領域では、連結部材の外周部に組み付けられる保持片の円周方向の幅寸法を広く確保することができ、両連結部材を板合わせ方向に組み付けた状態に保持する保持力を高めることができる。
【００１１】
次に、第３の発明は、上述した第２の発明において、保持部材の保持片は、円周方向に複数並んで配設されている。各保持片は、複数の突出部が寄せ集められた円周方向の半分の角度領域に配される数よりも、残り半分の角度領域に配される数の方が多くなっている。
【００１２】
この第３の発明によれば、各保持片の配される数が少ない円周方向の半分の角度領域では、各突出部の円周方向の幅寸法を広く形成することができる。また、各保持片の配される数が多い円周方向の半分の角度領域では、各保持片による両連結部材を板合わせ方向に組み付けた状態に保持する保持力を高めることができる。
【００１３】
次に、第４の発明は、上述した第２又は第３の発明において、複数の突出部は、一方側の連結部材の外周部に突出して形成されている。そして、同連結部材の外周部において、複数の突出部が寄せ集められて配置された側とは反対側の円周方向の半分の角度領域には、保持部材の開口部から半径方向の外方側に突出するストッパが形成されている。このストッパは、他方側の連結部材と一体的となって回転するストッパ片との当接により、他方側の連結部材の回転移動を係止させる構成となっている。
【００１４】
この第４の発明によれば、他方側の連結部材の回転移動を係止させるためのストッパを、突出部と同様に、保持部材の開口部から突出させる態様で形成することにより、このストッパを合理的に係止強度を持たせて形成することができる。
【発明を実施するための最良の形態】
【００１５】
以下に、本発明を実施するための最良の形態の実施例について図面を用いて説明する。
【実施例１】
【００１６】
始めに、実施例１の車両用シートの連結装置の構成について、図１〜図６を用いて説明する。ここで、図２には、本実施例の車両用シート１の概略構成が示されている。この車両用シート１は、背凭れとなるシートバック２が、その左右両サイドの下部位置に配設された左右一対のリクライニング装置４，４によって、着座部となるシートクッション３と連結されている。ここで、リクライニング装置４，４が本発明の車両用シートの連結装置に相当する。
【００１７】
これらリクライニング装置４，４は、互いのロック解除の切換え操作を行う操作軸４ｃ，４ｃが、連結ロッド４ｒによって互いに一体的に連結されて構成されている。これにより、各リクライニング装置４，４は、シートバック２の背凭れ角度を固定したロック状態と、この固定状態を解除してシートバック２の背凭れ角度調整を行える状態にする解除状態とに、互いの作動状態が同期して切換えられるようになっている。ここで、各リクライニング装置４，４は、常時は附勢によってロックした作動状態に保持されている。
【００１８】
そして、各リクライニング装置４，４は、シートクッション３の側部位置に設けられた操作レバー５の引き上げ操作を行うことにより、それらのロック状態が一斉に解除操作される。これにより、シートバック２の背凭れ角度の固定状態が解かれるため、その背凭れ角度の調整操作が行える状態となる。そして、シートバック２の背凭れ角度を調整し、操作レバー５の解除操作をやめることにより、各リクライニング装置４，４が再び附勢によってロック状態に戻されるため、シートバック２がその調整された背凭れ角度位置に固定される。
【００１９】
ここで、シートバック２は、シートクッション３との間に掛着された図示しない附勢ばねの附勢力によって、常時は前倒しの回動方向に附勢されている。したがって、車両用シート１が着座使用されていない状態で、上述した各リクライニング装置４，４のロック状態を解除することにより、シートバック２は附勢によって前倒しされて、シートクッション３の上面部に畳み込まれることとなる。
【００２０】
このとき、各リクライニング装置４，４は、通常、シートバック２が背凭れとして使用される角度領域にある時には、操作レバー５の解除操作をやめることによって、附勢によってロック状態に戻される。しかし、各リクライニング装置４，４の回転角度領域には、上記した解除操作をやめた際に附勢によってロック状態に戻されるロックゾーンの角度領域と、解除操作をやめてもロック状態には戻されないフリーゾーンの角度領域とが設定されている。
【００２１】
前者のロックゾーンは、通常、シートバック２が背凭れとして使用される角度領域、具体的にはシートバック２が直立姿勢となる角度位置から後方側に倒し込まれる角度領域に設定されている。そして、後者のフリーゾーンは、シートバック２が背凭れとして使用されることのない前倒れ姿勢の角度領域、具体的にはシートバック２が直立姿勢となる角度位置から前方側に倒し込まれる角度領域に設定されている。
【００２２】
したがって、シートバック２を前倒し操作するために、各リクライニング装置４，４のロック状態を解除して、シートバック２が直立姿勢から少しでも前に傾いたら、あとは解除操作をやめてしまっても、シートバック２はシートクッション３の上面部に畳み込まれる位置まで自然と倒し込まれていく。以下、リクライニング装置４，４の構成について詳しく説明をする。なお、各リクライニング装置４，４は、互いに左右対称の構成となっているが、実質的には同じ構成となっている。したがって、以下ではこれらを代表して、図２の紙面向かって右側に示されているリクライニング装置４の構成についてのみ説明をする。
【００２３】
このリクライニング装置４は、図１に示されるように、略円板形状のラチェット１０及びガイド２０と、これらの円板面の間に挟まれて配置される上下一対のポール３０，３０及びスライドカム４０と、このスライドカム４０をスライド操作するためのヒンジカム５０と、このヒンジカム５０を回動附勢するための附勢ばね６０と、ラチェット１０及びガイド２０を互いに板厚方向（軸方向）に挟み込んだ状態に保持するための保持部材７０とが一つに組み付けられて構成されている。ここで、ガイド２０が本発明の一方の連結部材に相当し、ラチェット１０が本発明の他方の連結部材に相当する。
【００２４】
詳しくは、ラチェット１０には、その円板部１１の外周縁において、板厚方向に円筒状に突出する円筒部１２が形成されている。この円筒部１２は、円板部１１の外周縁が板厚方向に半抜き加工されることによって押し出されて形成されている。そして、この円筒部１２の内周面には、内歯の形成された内周歯面１２ａと、内歯のない平坦な湾曲面として形成された乗上げ面１２ｂ，１２ｂとが円周方向に並んで形成されている。ここで、乗上げ面１２ｂ，１２ｂは、円筒部１２の軸対称となる二箇所の位置に配置されており、それぞれ、内周面が内周歯面１２ａよりも半径方向の内方側に突出した平坦な湾曲面とされて形成されている。
【００２５】
上記した乗上げ面１２ｂ，１２ｂは、図５に示されるように、いずれのポール３０，３０とも干渉しない円周方向の配置状態の時には、各ポール３０，３０がラチェット１０の内周歯面１２ａと噛合する半径方向外方側への噛合移動を許容する。したがって、これら乗上げ面１２ｂ，１２ｂと各ポール３０，３０との干渉が起こらない円周方向の回転角度領域が、各ポール３０，３０とラチェット１０の内周歯面１２ａとの噛合が許容されるロックゾーンとして設定される。
【００２６】
しかし、各乗上げ面１２ｂ，１２ｂが各ポール３０，３０と干渉する円周方向の配置状態となることにより、各ポール３０，３０がラチェット１０の内周歯面１２ａと噛合しようとする半径方向外方側への動きは、各乗上げ面１２ｂ，１２ｂへの乗り上げによって阻止される。したがって、これら乗上げ面１２ｂ，１２ｂと各ポール３０，３０とが干渉する円周方向の回転角度領域が、各ポール３０，３０とラチェット１０の内周歯面１２ａとの噛合が阻止されるフリーゾーンとして設定される。
【００２７】
ところで、上記したラチェット１０は、図４に示されるように、その円板部１１の外板面が、シートバック２の骨格を成す板状のバックフレーム２ｆの板面と接合されることによって、シートバック２と一体的に連結されている。ここで、バックフレーム２ｆが本発明の対象部材に相当する。
【００２８】
ここで、図１に示されるように、ラチェット１０の円板部１１には、その外板面から略円筒状に突出する複数のダボ１３ａ・・やＤダボ１３ｂが板厚方向への半抜き加工によって押し出されて形成されている。これらダボ１３ａ・・やＤダボ１３ｂは、円板部１１のより外周縁に近い位置で、円周方向に等間隔に並んで配置形成されている。このうち、Ｄダボ１３ｂは、その突出した円筒形状の一部が断面Ｄ字状に切り欠かれて形成されており、円筒形状に突出したダボ１３ａ・・とは形状が区別されるようになっている。
【００２９】
一方、図４に示されるように、バックフレーム２ｆには、上述したラチェット１０のダボ１３ａ・・やＤダボ１３ｂを嵌合させることのできる正円形状のダボ孔２ａ・・やＤ字形状のＤダボ孔（図示省略）がそれぞれ板厚方向に貫通して形成されている。したがって、上述したラチェット１０のダボ１３ａ・・やＤダボ１３ｂを、バックフレーム２ｆに貫通形成されたダボ孔２ａ・・やＤダボ孔にそれぞれ嵌合させて、これら嵌合部を溶接して接合することにより、ラチェット１０がバックフレーム２ｆに対して強固に一体的に連結されている。
【００３０】
ここで、上述したラチェット１０の円板部１１の中心部には、リクライニング装置４のロック解除の切換え操作を行う操作軸４ｃ（図２参照）を挿通するための貫通孔１４が形成されている。そして、バックフレーム２ｆにも、この貫通孔１４と同軸線上の位置に、同じ目的の貫通孔２ｃが形成されている。
【００３１】
次に、図１に戻って、ガイド２０の構成について説明する。このガイド２０は、ラチェット１０よりもひとまわり大きな外径をもつ略円板型形状に形成されている。そして、このガイド２０の円板部２１の外周縁には、ラチェット１０への組み付け方向となる板厚方向に円筒状に突出する円筒部２２が形成されている。この円筒部２２は、円板部２１の外周縁が板厚方向に半抜き加工されることによって押し出されて形成されている。
【００３２】
そして、この円筒部２２の外周縁部には、その図示上側半分の円周領域に、半径方向の外方側に突出する小突部２２ａ・・が互いに円周方向に離間した三箇所の位置に配置形成されている。そして、同円筒部２２の外周縁部の図示下側半分の円周領域には、上記した各小突部２２ａ・・よりも更に半径方向の外方側に大きく突出するひれ部２２ｃ，２２ｃが互いに円周方向に離間した二箇所の位置に配置形成されている。
【００３３】
これらひれ部２２ｃ，２２ｃは、その円周方向の幅寸法が、上述した各小突部２２ａ・・や後述する保持部材７０の各保持片７３・・の円周方向の幅寸法よりも広く形成されている。ここで、各ひれ部２２ｃ，２２ｃが、それぞれ本発明の突出部に相当する。これにより、円筒部２２の外周縁部には、各小突部２２ａ・・や各ひれ部２２ｃ，２２ｃがそれぞれ互いに円周方向に離間して配置形成されており、更にこれらの円周方向の各間には、半径方向内方側に窪んだ形状となる凹部２２ｂ・・がそれぞれ配置形成されている。
【００３４】
ここで、上記したガイド２０の円筒部２２は、その内周面によって形作られる円筒形状が、ラチェット１０の円筒部１２よりもひとまわり大きな形状に形成されており、ラチェット１０の円筒部１２をその円筒内部に組み付けられるようになっている。これにより、ガイド２０は、その円筒部２２の筒内部にラチェット１０の円筒部１２が組み付けられることで、互いの円筒形状を内外に嵌合させた状態として、互いに摺動し合って相対回転することのできる状態となって組み付けられるようになっている。
【００３５】
上記したガイド２０は、ラチェット１０と組み付けられて、更に、後述する略円筒型形状の保持部材７０がこれらの外周部に跨って組み付けられることにより、互いに板合わせ方向に組み付けられた状態に保持されて外れ止めされる。そして、この組み付けにより、ガイド２０は、図３に示されるように、上述した円筒部２２の外周部に突出して形成された各小突部２２ａ・・やひれ部２２ｃ，２２ｃを、保持部材７０の円筒部の円周方向の五箇所に開口して形成された各開口部７４・・から、それぞれ、半径方向の外方側に突出させた状態となって組み付けられるようになっている。
【００３６】
そして、上記したガイド２０は、シートクッション３の骨格を成す板状のクッションフレーム３ｆに対して、上記した保持部材７０の二箇所の開口部７４，７４からそれぞれ突出した各ひれ部２２ｃ，２２ｃがそれぞれ軸方向に板合わせされて、各板合わせ部がボルトＢ，Ｂによってそれぞれ締結されることで一体的に連結されている。これにより、ガイド２０は、その円筒部２２の円筒形状から半径方向の外方側に遠く離れた位置で、クッションフレーム３ｆと一体的に連結されている。ここで、クッションフレーム３ｆが本発明の対象部材に相当する。
【００３７】
ここで、図３に示されるように、上述したガイド２０の円筒部２２に突出形成された図示左上側の小突部２２ａには、同小突部２２ａから更に半径方向の外方側に突出する前倒れストッパ２２ｄが形成されている。この前倒れストッパ２２ｄは、図４に示されるように、シートバック２が前倒れ回転した際に、同シートバック２の骨格を成すバックフレーム２ｆに固定設置されたストッパ片２ｄと当接することで、シートバック２の前倒れ回転を阻止する機能部品として構成されている。
【００３８】
また、図３に戻って、上述したガイド２０の円筒部２２に突出形成された図示右上側の小突部２２ａには、上述した前倒れストッパ２２ｄと同じように、図４で示したストッパ片２ｄと当接することで、シートバック２の後倒れ回転を阻止する後倒れストッパ２２ｅが、同小突部２２ａから更に半径方向の外方側に突出して形成されている。ここで、前倒れストッパ２２ｄ及び後倒れストッパ２２ｅがそれぞれ本発明のストッパに相当する。
【００３９】
ここで、図１に戻って、上述したガイド２０の円板部２１の中心部には、リクライニング装置４のロック解除の切換え操作を行う操作軸４ｃ（図２参照）を挿通するための貫通孔２５が形成されている。
【００４０】
そして、ガイド２０の円板部２１には、その内板面が板厚方向に「十」符号状に凹んだガイド溝２３が形成されている。このガイド溝２３は、円板部２１が「十」符号状に板厚方向に半抜き加工されることによって押し出されて形成されている。このガイド溝２３は、その図示向かって上側と下側の溝部が、後述する各ポール３０，３０をそれぞれスライド移動可能に内部に収め入れることのできるポール溝２３ａ，２３ａとして形成されている。
【００４１】
これらポール溝２３ａ，２３ａは、図５に示されるように、その左右両サイドに側壁となって形成される案内壁２１ａ，２１ｂや案内壁２１ｃ，２１ｄの形状により、ポール３０，３０をその溝形状に沿ってガイド２０の半径方向の内外方（図示上下方向）にのみスライドさせられるようにガイドする。そして、ガイド溝２３の横方向に延びる図示向かって右側と左側とその間の溝部は、後述するスライドカム４０をスライド移動可能に内部に収め入れることのできるスライドカム溝２３ｂとしてひとつなぎに形成されている。
【００４２】
このスライドカム溝２３ｂは、その上下両サイドに側壁となって形成される案内壁２１ａ，２１ｃや案内壁２１ｂ，２１ｄの形状により、スライドカム４０をその溝形状に沿ってガイド２０の半径方向の内外方（図示左右方向）にのみスライドさせられるようにガイドする。次いで、図１に戻って、ガイド２０の円板部２１には、その外板面からピン形状に突出するばね掛部２６，２６が形成されている。これらばね掛部２６，２６は、後述する附勢ばね６０（巻きばね）の外端６２を掛着させるための機能部品となっており、その掛着位置を選択できるように円周方向の二箇所の位置に形成されている。
【００４３】
次に、ポール３０，３０の構成について説明する。これらポール３０，３０は、前述したガイド２０に形成された各ポール溝２３ａ，２３ａの内部にスライド可能な状態に収容される駒形状に形成されている。これらポール３０，３０は、互いに上下対称な形状に形成されている。具体的には、各ポール３０，３０は、それらの外周面が、前述したラチェット１０の円筒部１２の内周面と合致する円弧状に湾曲した形状に形成されている。そして、この円弧状に湾曲した外周面は、上記したラチェット１０の内周歯面１２ａと噛合可能な外歯が形成された外周歯面３０ａ，３０ａとして形成されている。
【００４４】
したがって、各ポール３０，３０は、図５に示されるように、後述するスライドカム４０に押圧されて半径方向の外方側にスライド操作されることにより、各外周歯面３０ａ，３０ａをラチェット１０の内周歯面１２ａと噛合させる。これにより、各ポール３０，３０とラチェット１０とは、互いの噛合力によって、円周方向に一体的な状態となる。しかし、各ポール３０，３０は、ガイド２０との関係においては、上述した案内壁２１ａ，２１ｂや案内壁２１ｃ，２１ｄによるガイドによって半径方向の内外方にしかスライドできないようになっている。
【００４５】
したがって、ラチェット１０は、各ポール３０，３０を介してガイド２０に対する相対回転が規制された状態となる。すなわち、リクライニング装置４が回転ロックされた状態となる。このリクライニング装置４の回転ロック状態は、図６に示されるように、各ポール３０，３０が半径方向の内方側に引き込まれて、ラチェット１０との噛合状態から外されることによって解除される。
【００４６】
ここで、各ポール３０，３０を半径方向の内外方にスライドさせる操作は、各ポール３０，３０の間に配設されたスライドカム４０のスライド動作に伴って行われる。このスライドカム４０は、図１に示されるように、前述したガイド２０に形成されたスライドカム溝２３ｂの内部に収容される駒形状に形成されている。このスライドカム４０は、上下対称な形状に形成されており、その図示上下側の縁部に、各ポール３０，３０を半径方向の外方側に押し出すための肩部４２，４２と、各ポール３０，３０を半径方向の内方側に引き込むためのフック４４，４４とを有して形成されている。
【００４７】
ここで、前述したポール３０，３０は、その半径方向内方側の形状が一部肉抜きされた門型形状となって形成されている。そして、各ポール３０，３０は、その門型の両脚をなす脚部３２，３２を、それぞれスライドカム４０の上縁側と下縁側の面部とに当接させることにより、スライドカム４０によって半径方向の外方側に押圧操作されるようになっている。具体的には、図５に示されるように、各ポール３０，３０は、スライドカム４０が図示右方側にスライド操作された状態となっているときには、各脚部３２，３２をスライドカム４０の各肩部４２，４２に乗り上げさせた状態となって半径方向の外方側に押し出された状態に保持されている。
【００４８】
これにより、各ポール３０，３０は、常時はそれらの外周歯面３０ａ，３０ａをラチェット１０の内周歯面１２ａに噛合させた状態として保持されている。そして、各ポール３０，３０は、図６に示されるように、スライドカム４０が図示左方側にスライド操作されることにより、その門型の内側に形成された各掛部３１，３１にスライドカム４０の各フック４４，４４が引掛けられて、半径方向の内方側に引き込まれる。これにより、各ポール３０，３０の脚部３２，３２が、スライドカム４０の肩部４２，４２に乗り上げていた位置から、それらの図示右脇側の位置にある各溝部４３，４３の内部へと引き込まれて、各ポール３０，３０とラチェット１０との噛合状態が解除される。
【００４９】
これら溝部４３，４３は、各肩部４２，４２から滑らかに凹み込む形状に形成されており、スライドカム４０が図６に示されるように右方側にスライドすることによって、各ポール３０，３０の脚部３２，３２が各溝部４３，４３の形状に案内されながら各肩部４２，４２に乗り上げた状態となる。ここで、スライドカム４０を図示左右方向にスライドさせる操作は、スライドカム４０の中央部に貫通形成されたカム孔４１内に組み付けられたヒンジカム５０の回転動作に伴って行われる。
【００５０】
このヒンジカム５０は、図１に示されるように、スライドカム４０の中心部に貫通形成されたカム孔４１内に回動可能に組み付けられている。このヒンジカム５０は、ガイド２０との間に掛着された附勢ばね６０（巻きばね）の附勢力によって、常時は図１に示される時計回り方向に回動附勢されている。ここで、附勢ばね６０は、図３に示されるように、予め捩り込まれた状態として、その内端６１がヒンジカム５０のばね掛部５１に掛着されており、外端６２がガイド２０のばね掛部２６に掛着されている。
【００５１】
これにより、ヒンジカム５０は、図５に示されるように、常時はその外周部に突出形成された操作突起５２によって、スライドカム４０をカム孔４１の内周面側から押圧して図示右方側にスライドさせるようになっている。そしてこれにより、各ポール３０，３０は、各脚部３２，３２をスライドカム４０の各肩部４２，４２に乗り上げさせた状態として、ラチェット１０と噛合した状態に保持される。
【００５２】
このヒンジカム５０は、図２において前述した操作軸４ｃと一体的に連結されている。これにより、ヒンジカム５０は、操作レバー５（図２参照）の引き上げ操作に伴って、図１に示される附勢ばね６０の附勢に抗した図示反時計回りに回動操作されるようになっている。すなわち、ヒンジカム５０は、上記した操作レバー５の操作によって、図５の時計回り方向に回動操作される。これにより、図６に示されるように、スライドカム４０が図示左方側にスライド操作されて、各ポール３０，３０が、ラチェット１０との噛合状態から外される。
【００５３】
次に、図１に戻って、保持部材７０について説明する。この保持部材７０は、薄い鋼板がリング状に打ち抜かれると共に、更に軸方向に半抜き加工されて押し出されることにより、図示右奥の一端側に、軸方向に面を向けたフランジ状の第１座面部７１と第２座面部７２とを段差状に有する円筒型形状に形成されている。ここで、図４に示されるように、第１座面部７１は、保持部材７０の円筒内にラチェット１０を組み付けた際に、このラチェット１０の円筒部１２の外板面に軸方向に対面するように形成されている。
【００５４】
そして、第２座面部７２は、保持部材７０の円筒内にガイド２０が組み付けられた際に、このガイド２０の円筒部２２の内板面に面当接するように形成されている。そして、図１に示されるように、この第２座面部７２の外周縁部からは、その円周方向の五箇所の位置から軸方向に突出する曲板状の保持片７３・・が形成されている。これら保持片７３・・は、互いに円周方向に離間して配置形成されており、これら保持片７３・・の円周方向の各間には、回転半径方向に開口した開口部７４・・が形成されている。
【００５５】
上記した各保持片７３・・は、これら全体によって形作られる形状が、断片的な円筒型形状となるように、互いに円周方向に離間して配置されている。そして、各保持片７３・・は、ガイド２０が保持部材７０の円筒内に組み付けられることにより、このガイド２０の外周縁部に形成された各凹部２２ｂ・・に軸方向に挿通されて、ガイド２０の円筒部２２を外周側から覆い囲った状態となる。そして、この状態から、ガイド２０の各凹部２２ｂ・・から軸方向に突出した各保持片７３・・の先（折曲面部７３ａ・・）を、それぞれ半径方向の内方側に折り曲げてかしめることにより、保持部材７０が、ガイド２０に対して回転方向にも軸方向にも一体的に連結された状態となって固定される（図３参照）。
【００５６】
そして、この組み付けにより、保持部材７０の各保持片７３・・の間に形成された開口部７４・・からは、ガイド２０の外周部に突出形成された各小突部２２ａ・・やひれ部２２ｃ，２２ｃが、半径方向の外方側に突出して外部に露呈した状態となる。次に、図４に戻って、上記した保持部材７０に対するラチェット１０やガイド２０の組み付けについて更に詳しく説明する。すなわち、保持部材７０の円筒内にラチェット１０を挿通することにより、ラチェット１０は、その円筒部１２の外板面が、第１座面部７１の内板面上に突出形成された各突部７１ａ・・とそれぞれ点接触する位置で、保持部材７０に対して軸方向の挿通位置が位置決めされた状態として組み付けられる。
【００５７】
そして、この組み付けにより、ラチェット１０は、その円筒部１２の外周縁部が、保持部材７０の第１座面部７１と第２座面部７２とを繋ぐ円筒部分によって囲い込まれた状態として組み付けられる。そして次に、ラチェット１０の円板部１１上にポール３０，３０やスライドカム４０等の組み付け部品を組み付けて、次いで保持部材７０の円筒内にガイド２０を挿通することにより、ガイド２０は、その円筒部２２の内板面が第２座面部７２と面当接する位置で、保持部材７０に対して軸方向の挿通位置が位置決めされた状態として組み付けられる。
【００５８】
ここで、図１に戻って、上述した保持部材７０に形成された第２座面部７２は、各開口部７４・・が形成された円周方向の領域部分では、その軸方向に面を向けた面形状が、半径方向外方側に羽状に広がって形成されている。これにより、第２座面部７２は、図４に示されるように、上述した保持片７３・・が形成された以外のところでは、その羽状に広がった面形状によって、ガイド２０の円筒部２２の内板面を半径方向に広く当て交って支えられるようになっている。
【００５９】
そして、上記した組み付け後に、保持部材７０の各保持片７３・・の先（折曲面部７３ａ・・）を半径方向の内方側に折り曲げて、円筒部２２の外板面にかしめることにより、保持部材７０がガイド２０に対して一体的に結合固定される。これにより、ラチェット１０及びガイド２０が、保持部材７０によって軸方向に挟み込まれて外れ止めされた状態となって組み付けられる。
【００６０】
ここで、ラチェット１０の円筒部１２は、ポール３０，３０やスライドカム４０等の組み付け部品を間に挟んで、ガイド２０の円板部２１と保持部材７０の第１座面部７１との間に軸方向に僅かな隙間を有して組み付けられるようになっている。これにより、ラチェット１０のガイド２０に対する回転移動が保持部材７０との摺動摩擦によって阻害されることなくスムーズに行えるようになっている。
【００６１】
このように、本実施例の車両用シートの連結装置（リクライニング装置４）によれば、ガイド２０は、その保持部材７０の二箇所の開口部７４，７４からそれぞれ回転半径方向に突出したひれ部２２ｃ，２２ｃ（突出部）が、その連結対象となるクッションフレーム３ｆに当てられて一体的に連結される。これにより、同ひれ部２２ｃ，２２ｃの形成されたガイド２０は、その半径方向の外方側に遠く離れた位置でクッションフレーム３ｆと連結されるため、クッションフレーム３ｆに対して高い連結強度でもって連結される。
【００６２】
また、上記したひれ部２２ｃ，２２ｃは、その円周方向の幅寸法が広く形成されているため、それ自体の支持強度が高められている。したがって、ガイド２０をクッションフレーム３ｆに対して支持強度と連結強度とを高めた状態に連結することができる。
【００６３】
また、図３に示されるように、各ひれ部２２ｃ，２２ｃがガイド２０の外周部における円周方向の半分の角度領域（下半分）内に寄せ集められて配置構成されていることにより、このガイド２０と連結されるクッションフレーム３ｆを、各ひれ部２２ｃ，２２ｃが寄せ集められた半分の角度領域まで形状が張り出す小さな形状に形成することができる。また、残り半分の角度領域（上半分）では、ガイド２０の外周部に組み付けられる保持片７３・・全体の円周方向の幅寸法を広く確保することができ、ガイド２０とラチェット１０とを板合わせ方向に組み付けた状態に保持する保持力を高めることができる。
【００６４】
また、このように連結強度を高められる構成としたことにより、クッションフレーム３ｆを、本実施例で示したように、ガイド２０の全周と溶接しなくてもその一部との溶接によって十分な接合強度を得ることができるため、クッションフレーム３ｆの形状を小さく抑えて軽量化を図ることができる。
【００６５】
また、保持部材７０の各保持片７３・・が、ひれ部２２ｃ，２２ｃが寄せ集められた円周方向の半分の角度領域では一つしか配されていないのに対して、残り半分の角度領域では四つ配されて多くなっている構成となっていることにより、上記した配される数が少ない側の円周方向の半分の角度領域では、各ひれ部２２ｃ，２２ｃの円周方向の幅寸法を広く形成して強度を高めることができる。また、保持片７３・・の配される数が多い側の円周方向の半分の角度領域では、各保持片７３・・によるラチェット１０とガイド２０とを板合わせ方向に組み付けた状態に保持する保持力を高めることができる。
【００６６】
また、ラチェット１０（シートバック２）の回転移動を係止させるための前倒れストッパ２２ｄや後倒れストッパ２２ｅを、ひれ部２２ｃ，２２ｃと同様に、保持部材７０の開口部７４，７４から突出させる態様で形成したことにより、これら前倒れストッパ２２ｄや後倒れストッパ２２ｅを合理的に係止強度を持たせて形成することができる。
【実施例２】
【００６７】
続いて、実施例２の車両用シートの連結装置（リクライニング装置４）の構成について、図７〜図９を用いて説明する。なお、本実施例では、実施例１で説明したリクライニング装置４と実質的な構成及び作用が同じとなっている箇所については、これらと同一の符号を付して説明を省略し、異なる箇所について詳しく説明することとする。
【００６８】
本実施例のリクライニング装置４は、図７〜図８に示されるように、ガイド２０の円筒部２２の外周縁部に形成された各ひれ部２２ｃ，２２ｃ（突出部）が、クッションフレーム３ｆに対してレーザー溶接によって一体的に連結されている。具体的には、各ひれ部２２ｃ，２２ｃは、クッションフレーム３ｆに対して板合わせされた状態で、この板合わせ部に板厚方向にレーザー光が当てられて溶接されることにより、クッションフレーム３ｆと一体的に連結されている。
【００６９】
ここで、上記したレーザー溶接は、各ひれ部２２ｃ，２２ｃとクッションフレーム３ｆとの板合わせ部に、レーザー光が波状に曲がりくねるかたちに当てられて行われている。これにより、同レーザー溶接による溶接ビードＷ，Ｗが、上記した各ひれ部２２ｃ，２２ｃとクッションフレーム３ｆとの板合わせ部に広い領域にわたって形成され、両者が高い連結強度でもって連結されている。なお、上記した溶接ビードＷ，Ｗは、必ずしも波状に曲がりくねって形成される必要はなく、真っ直ぐに形成されたり折れ曲がった形状に形成されたりしてもよい。
【００７０】
また、図９に示されるように、上記したレーザー溶接は、ガイド２０の円筒部２２から半径方向の外方側に大きく張り出した各ひれ部２２ｃ，２２ｃとクッションフレーム３ｆとの板合わせ部において行われるため、レーザー溶接によって形成された外部に露呈した溶接ビードＷ，Ｗの裏波を、外部から目で見て確かめることができる。したがって、上記したレーザー溶接が適正に行われたかどうかの確認を、作業者が溶接ビードＷ，Ｗの裏波の形成状態を視認することによって容易に行うことができる。
【実施例３】
【００７１】
続いて、実施例３の車両用シートの連結装置（リクライニング装置４）の構成について、図１０を用いて説明する。なお、本実施例では、実施例１や実施例２で説明したリクライニング装置４と実質的な構成及び作用が同じとなっている箇所については、これらと同一の符号を付して説明を省略し、異なる箇所について詳しく説明することとする。
【００７２】
本実施例のリクライニング装置４は、図１０と実施例２で示した図８とを対比して分かるように、ガイド２０の円筒部２２の外周縁部に形成された各ひれ部２２ｃ，２２ｃ（突出部）が、シートクッション３の骨格を成すクッションフレーム３ｆを構成するように大きく張り出して形成されている。これら各ひれ部２２ｃ，２２ｃは、実施例１で示したように、それぞれ、円周方向の幅寸法が広く形成されているため、十分な支持強度を発揮できるようになっている。
【００７３】
なお、本実施例では、両ひれ部２２ｃ，２２ｃの間に挿通される保持部材７０の保持片７３は、両ひれ部２２ｃ，２２ｃの間に板厚方向に貫通して形成された長孔２２ｆ内に挿し通されて、折り曲げられてかしめ固定されている。
【００７４】
以上、本発明の実施形態を三つの実施例を用いて説明したが、本発明は上記実施例のほか各種の形態で実施できるものである。例えば、上記実施例では、本発明の車両用シートの連結装置を、シートバック２をシートクッション３に対して背凭れ角度調整可能に連結するリクライニング装置４として適用したものを示した。しかし、この連結装置は、シートバック２を車体フロアに対して背凭れ角度調整可能に連結する用途にも適用することができる。また、連結装置を、シート本体を車体フロアに対して旋回方向に回転させられるように連結する用途にも適用することができる。また、連結装置を、着座者の下腿部を下方側から持ち上げて支持するいわゆるオットマン装置をシートクッション３や車体フロアに対して起倒回動可能に連結する用途にも適用することができる。
【００７５】
また、連結装置として、ラチェット１０の内周歯面１２ａに各ポール３０，３０の外周歯面３０ａ，３０ａを噛合ロックさせて回転留めを行うロック解除操作タイプのリクライニング装置４を例示したが、特開２００８−１８０５５公報に開示されているように、外歯車を有する外歯部材（一方の連結部材）が内歯車を有する内歯部材（他方の連結部材）の内周歯面上を噛合位置を変えながら回転（公転）運動し、両歯車を互いに噛合させる方向に押さえ付ける操作力によって両歯車の回転留めを行ういわゆる無段階式のリクライニング装置にも本発明の構成を適用することができる。
【００７６】
また、リクライニング装置４について、二個のポール３０，３０を半径方向に同時に進退移動させるための操作部材としてスライドカム４０を示したが、例えば特開２００５−３１２８９１号公報に開示されているような、三個以上のポールを同時に進退操作させられる回転式のカムを用いた構成であってもよい。
【００７７】
また、ガイド２０（一方の連結部材）とクッションフレーム３ｆ（対象部材）とを連結する手段としてボルトＢによる締結やレーザー溶接を示したが、アーク溶接等の他の連結手段を用いて連結することもできる。
【００７８】
また、ガイド２０（一方の連結部材）とラチェット１０（他方の連結部材）とが互いに円筒部２２，１２同士の嵌合によって相対回転可能に支え合うように組み付けられた構成を示したが、この回転半径方向の支持を、保持部材７０によって行うように構成してもよい。こうすることにより、ラチェット１０にも突出部（ひれ部２２ｃ，２２ｃ）を形成してバックフレーム２ｆと強固に連結することができるようになる。
【００７９】
また、ガイド２０の円筒部２２内にラチェット１０の円筒部１２が嵌め込まれて支えられるようにした構成を示したが、ラチェット１０を更に大きく形成して複数段の円筒部を有する形状とし、このラチェット１０の最外周側の円筒部内にガイド２０の円筒部２２を嵌め込んで支えるようにした構成であってもよい。
【００８０】
この場合には、例えば、保持部材７０がラチェット１０の最外周側の円筒部にかしめられて結合固定され、このラチェット１０の円筒部から半径方向の外方側に突出した小突部が、保持部材７０の開口部から突出して、その最外周部分が、シートバックのバックフレームと突き合わされて接合される構成となる。
【００８１】
また、ガイド２０にひれ部２２ｃ，２２ｃ（突出部）を二個形成したものを示したが、この突出部は一個であっても三個以上であっても良い。
【図面の簡単な説明】
【００８２】
【図１】実施例１のリクライニング装置の構成を表した分解斜視図である。
【図２】車両用シートの概略構成を表した斜視図である。
【図３】ガイドとクッションフレームとが接合された状態を表した側面図である。
【図４】図３のIV-IV線断面図である。
【図５】リクライニング装置のロック状態を表した図４のV-V線断面図である。
【図６】図５の状態からリクライニング装置のロック状態を解除した状態を表した断面図である。
【図７】実施例２のリクライニング装置の構成を表した分解斜視図である。
【図８】ガイドとクッションフレームとが接合された状態を表した側面図である。
【図９】図８のIX-IX線断面図である。
【図１０】実施例３のリクライニング装置の構成を表した側面図である。
【符号の説明】
【００８３】
１      車両用シート
２      シートバック
２ｆ    バックフレーム（対象部材）
２ａ    ダボ孔
２ｃ    貫通孔
２ｄ    ストッパ片
３      シートクッション
３ｆ    クッションフレーム（対象部材）
４      リクライニング装置（車両用シートの連結装置）
４ｃ    操作軸
４ｒ    連結ロッド
５      操作レバー
１０    ラチェット（他方の連結部材）
１１    円板部
１２    円筒部
１２ａ  内周歯面
１２ｂ  乗上げ面
１３ａ  ダボ
１３ｂ  Ｄダボ
１４    貫通孔
２０    ガイド（一方の連結部材）
２１    円板部
２１ａ〜２１ｄ  案内壁
２２    円筒部
２２ａ  小突部
２２ｂ  凹部
２２ｃ  ひれ部（突出部）
２２ｄ  前倒れストッパ（ストッパ）
２２ｅ  後倒れストッパ（ストッパ）
２２ｆ  長孔
２３    ガイド溝
２３ａ  ポール溝
２３ｂ  スライドカム溝
２５    貫通孔
２６    ばね掛部
３０    ポール
３０ａ  外周歯面
３１    掛部
３２    脚部
４０    スライドカム
４１    カム孔
４２    肩部
４３    溝部
４４    フック
５０    ヒンジカム
５１    ばね掛部
５２    操作突起
６０    附勢ばね
６１    内端
６２    外端
７０    保持部材
７１    第１座面部
７１ａ  突部
７２    第２座面部
７３    保持片
７３ａ  折曲面部
７４    開口部
Ｂ      ボルト
Ｗ      溶接ビード
【図１】
2010051520.tif 000003
【図２】
2010051520.tif 000004
【図３】
2010051520.tif 000005
【図４】
2010051520.tif 000006
【図５】
2010051520.tif 000007
【図６】
2010051520.tif 000008
【図７】
2010051520.tif 000009
【図８】
2010051520.tif 000010
【図９】
2010051520.tif 000011
【図１０】
2010051520.tif 000012